(57)【要約】【課題】  構造の複雑化、部品点数の増加を行わずに、芳香・薬効等が所定している量以上、放出していることを容易に視認できる温風暖房機を提供する。【解決手段】  暖房機能の他に室内空気環境の改善、その他を目的とした芳香・薬効等の成分を室内に放出する機能を併せ持つ温風暖房機において、前記芳香・薬効等の放出状況を視認できる表示器１２を設け、表示器１２は、芳香・薬効等が放出される放出部の温度と相関のある暖房機本体１内の温度を検知する温度センサ１０の検知信号によって制御され、当該表示器１２の点灯、点滅、もしくは色の変化によって芳香・薬効等が所定量以上放出していることを表示する。【選択図】  図１
2006064333.tif 000002
【特許請求の範囲】
【請求項１】
暖房機能の他に室内空気環境の改善、その他を目的とした芳香・薬効等の成分を室内に放出する機能を併せ持つ温風暖房機において、前記芳香・薬効等の放出状況を確認できる表示手段を設けたことを特徴とする温風暖房機。
【請求項２】
前記表示手段は、ＬＥＤなどの表示器で構成され、当該表示器の点灯、点滅、もしくは色の変化によって芳香・薬効等が所定量以上放出していることを表示することを特徴とする請求項１記載の温風暖房機。
【請求項３】
前記表示器は、芳香・薬効等が放出される放出部の温度と相関のある暖房機本体内の温度を検知する温度センサの検知信号によって、点灯、点滅、もしくは色の変化が制御されることを特徴とする請求項１又は２記載の温風暖房機。
【請求項４】
前記表示器は、暖房機本体に設けられた室温センサがある一定の温度以上を検知するまで、点灯、点滅、もしくは色の変化が禁止されることを特徴とする請求項３記載の温風暖房機。
【発明の詳細な説明】
【技術分野】
【０００１】
本発明は、燃焼熱を利用して室内を暖房する温風暖房機に関するものである。
【背景技術】
【０００２】
この種の従来の温風暖房機には、運転状況を表示する表示器が設けられている。
特に、石油等を燃焼させて暖房するものには、所定時間を運転すると、自動消火が行われるため、所定時間の一定時間前になると、表示器の点滅により自動消化が行われることを予告して明確かつ容易に確認できるようにしている。（例えば、特許文献１参照）。
【０００３】
【特許文献１】特開２００１−３３６７４５号公報（第１頁、図１）
【発明の開示】
【発明が解決しようとする課題】
【０００４】
特許文献１に示されるように、従来の温風暖房機に設けられている表示器は、暖房機能に関する運転状況を単に表示するのみである。
しかしながら、最近の温風暖房機には、暖房機能の他に室内空気環境の改善、その他を目的として芳香・薬効等の成分を室内に放出する機能を併せ持つものが多く市場に提供されている。このような芳香・薬効等の成分を室内に放出する機能を併せ持つ温風暖房機においては、その機能を持っているだけで、使用者はその機能が運転時において、十分に機能発揮しているかどうかを明確に確認することはできなかった。
【０００５】
また、芳香・薬効等を収容する容器自体に専用のヒータや温度センサを取り付けて制御を行うと、構造の複雑化及び部品点数の増加によるコストアップにつながるという問題点があった。
【０００６】
更に、運転開始後の過渡時、燃焼安定時や急激な室内温度変化により、芳香・薬効等の収容部温度と温度センサ取付部温度とに相関のズレが発生するという問題点があった。
【０００７】
本発明は、上記のような問題点を解決するもので、暖房機能の他に芳香・薬効等の成分を室内に放出する機能を併せ持つ温風暖房機において、芳香・薬効等の放出状況を使用者が容易に確認できる温風暖房機を提供することを目的としている。
【０００８】
また、構造の複雑化や部品点数の増加等を伴わずに、芳香・薬効等の放出状況を容易に確認できる温風暖房機を提供することを目的としている。
【０００９】
更に、運転開始後の過渡時、安定時や急激な室内温度変化に対応した制御を行うことができるようにした温風暖房機を提供することを目的としている。
【課題を解決するための手段】
【００１０】
本発明に係わる温風暖房機は、暖房機能の他に室内空気環境の改善、その他を目的とした芳香・薬効等の成分を室内に放出する機能を併せ持つ温風暖房機において、前記芳香・薬効等の放出状況を確認できる表示手段を設けたものである。
【発明の効果】
【００１１】
本発明によれば、芳香・薬効等が所定量以上を放出しているかを使用者が表示手段により容易に確認することができる。
【発明を実施するための最良の形態】
【００１２】
実施の形態１．
以下、本発明の実施の形態１を図面に基づいて説明する。
図１は本発明の実施の形態１を示す温風暖房機の外観斜視図であり、図２は同温風暖房機の縦断面図である。
【００１３】
図１及び図２において、暖房機本体１の内部には、気化した液体燃料の燃焼を行うバーナ２と、このバーナ２での燃焼によって生じた高温ガスを上方に導く燃焼筒３と、この燃焼筒３から出た高温ガスと暖房機本体１の背面に設けた対流用ファン４により送られる外部空気と混合する風路５が設けてあり、この風路５からの温風は、温風の吹出方向を規制するルーバ６によって規制された方向へ向けて、暖房機本体１の前面に設けた温風吹出口７から吹き出される。また、前記暖房機本体１には温風吹出口７の近傍で、かつ下方に位置した場所に、香料や薬草等を収容したカートリッジ９を収容するための容器８を嵌め込んで装着してある。容器８は暖房機本体１内部側に位置する部位を熱伝導率の高い物質で形成されていて、暖房機本体１の温風吹出口７近傍からの伝熱と機器の内部温度上昇による熱で加熱されるように構成されている。
【００１４】
機器の運転を制御する制御基板１０には暖房機本体１の内部温度を検知する温度センサ１０ａが取り付けられている。また、暖房機本体１の背面には室内温度を検知する室温センサ１１が取り付けられている。さらに、暖房機本体１の前面上部にはカートリッジ９により放出している芳香成分や薬効成分が所定量以上放出しているかを確認するための表示手段としてＬＥＤからなる表示器１２が設けられている。
【００１５】
次に、上記実施の形態１に示す温風暖房機の動作について説明する。
まず、機器の運転スイッチ（図示せず）がオンされ、バーナ２の燃焼により燃焼排ガスと暖房機本体１の背面に設けた対流用ファン４からの室内空気流とを暖房機本体１内に設けた風路５内で混合し、暖房機本体１の前面に設けた温風吹出口７から温風が吹き出される。
【００１６】
通常、常温では香料や薬草から芳香成分や薬効成分が放出される量は少ないが、燃焼が開始されることにより、容器８は暖房機本体１内部側に位置する部位を熱伝導率の高い物質で形成されているため、暖房機本体１の温風吹出口７近傍からの伝熱と、機器の内部温度上昇による熱で温度が上昇する。そのため、バーナ２での燃焼が行われているときは、香料や薬草からの芳香成分や薬効成分の放出量は常温の倍以上となり、温風吹出口７から放出した温風と機器の外部で混合して、室内に放出される。
【００１７】
本実施の形態１では、例えば、容器８部温度が温度約２１℃のときの芳香成分や薬効成分の放出量を所定している量とし、その容器８部温度と相関がある制御基板１０に取り付けてある温度センサ１０ａにより表示器１２の点灯の色を変えている。
すなわち、運転開始直後の容器８部温度と温度センサ１０ａ部温度が共に２１℃より低いときは、表示器１２を緑色で点灯させる。運転が継続されて、暖房機本体１の内部温度が上昇し、温度センサ１０ａが温度２１℃以上を検知すると、容器８部温度は約２１℃以上となっているため、表示器１２を緑色から青色の点灯に変える。また、燃焼安定時は、容器８部温度が温度センサ１０ａ部温度よりも約１０℃程度高くなるため、表示器１２は青色の点灯をそのまま継続する。
【００１８】
以上のように、本発明の実施の形態１によれば、暖房機本体１内部の制御基板１０に取り付けた温度センサ１０ａが容器８部温度と相関があるため、この温度センサ１０ａの検知信号で暖房機本体１の前面上部に設けた表示器１２を制御し、芳香成分や薬効成分の放出状況を表示しているので、使用者は芳香・薬効等の成分が所定量以上を放出されているかどうかを容易に確認することができる。
【００１９】
なお、上記実施の形態１では、制御基板１０に取り付けた温度センサ１０ａのみの検知信号で表示器１２の制御を行っている例で説明したが、運転開始後の過渡時、燃焼安定時や急激な室内温度の変化による容器８部温度の相関のズレに対応するために、暖房機本体１背面に取り付けられている室温センサ１１により、例えば、室温が１０℃以上で表示器１２を緑色の点灯から青色の点灯に変え、室温が９℃で表示器１２を緑色の点灯に変わるように制御するなど、暖房機本体１内部の温度センサ１０ａと室温センサ１１の両方により表示器１２を制御するようにしてもよい。
こうすることで、運転開始後の過渡時、燃焼安定時や急激な室内温度の変化による容器８部温度の相関のズレに対応したより的確な制御を行うことができる。
【図面の簡単な説明】
【００２０】
【図１】本発明の実施の形態１を示す温風暖房機の外観斜視図である。
【図２】本発明の実施の形態１を示す温風暖房機の縦断面図である。
【符号の説明】
【００２１】
１  暖房機本体
２  バーナ
３  燃焼筒
４  対流用ファン
５  風路
６  ルーバ
７  温風吹出口
８  容器
９  カートリッジ
１０  制御基板
１０ａ  温度センサ
１１  室温センサ
１２  表示器（表示手段）
【図１】
2006064333.tif 000003
【図２】
2006064333.tif 000004